(57)【要約】      （修正有）【課題】ペット等の小動物の遺骨を収容する、軽量、安価、意匠性にすぐれ、かつ、土壌分解性に優れた遺骨収容用容器を提供する。【解決手段】それぞれ１枚の紙を折曲げてなる、六角柱状紙容器１００１、その中に挿入する六角柱状のインロー、インローを介して容器本体に結合する六角柱状の容器蓋、の三部材により構成する。容器本体の側面は折り返しによる二層構造、容器底は六角形状の底板と三角形状の底板とを合わせた二層構造、容器蓋の側面は折り返しによる二層構造、天井板は一層重構造とする。容器本体と容器蓋は、六角柱状の紙製のインローを介して結合される。インローは一部は二層の一層構造である。【選択図】図１
0003157623.tif 000002
【実用新案登録請求の範囲】
【請求項１】
紙製の六角柱状紙容器、その中に挿入する六角柱状の紙製のインローを介して容器本体に結合する紙製の六角柱状の容器蓋の三部材よりなることを特徴とするペット等の小動物の遺骨を収容する遺骨収容用容器。
【請求項２】
容器本体の側面は、折り返しによる外側側面板と上部内側側面板および外側側面板と下部内側側面板二層構造であり、容器底は上部内側側面板と下部内側側面板の間の位置にある六角形状の上側底板と５枚の三角形状の下側底板とを合わせた部分的な二層構造であり、インローは容器蓋と勘合する部分は二層構造である一層構造であり、容器蓋の側面は折り返しによる二層構造であり、容器蓋の天井板は一層重構造である請求項１に記載のペット等の小動物の遺骨を収容する遺骨収容用容器。
【請求項３】
六角柱状紙容器本体、六角柱状の紙製のインロー、紙製の六角柱状の容器蓋は、それぞれ、１枚の紙より採取した１片の紙から成形されている請求項１〜２のいずれかに記載のペット等の小動物の遺骨を収容する遺骨収容用容器。
【考案の詳細な説明】
【技術分野】
【０００１】
本発明は、ペット等の小動物の遺骨、遺灰を収容する、紙製の遺骨収容用容器に関する。
【背景技術】
【０００２】
従来より、使用されているペット等の小動物の遺骨や遺灰を収容する遺骨収容用容器は、骨壷が陶器製もしくはセラミック製である。そのため、そのまま埋めたのでは、遺骨や遺灰は土中で分解されず環境汚染にもつながり、また、遺骨や遺灰が土に帰る事の妨げにもなっている。
【考案の概要】
【０００３】
本考案では骨壺を３枚の紙より製作した、容器本体、容器蓋、インローの3部材からなる６角柱状の紙（ダンボール）製の遺骨収容用容器とした。本考案の遺骨収容用容器は組み立て式にした事で、かさばらないため運搬が容易であり、また、保管スペースも少なくすることができる。紙製のため破損の危険性も少ない。
【考案が解決しようとする課題】
【０００４】
従来使用されているペット等の小動物の遺骨、遺灰を収容する遺骨収容用容器は、骨壷が陶器製もしくは、セラミック製であるため、遺骨や遺灰は土中で分解されない。骨壺に入れたまま土に埋める事は、土に帰る事の妨げにもなっており、環境汚染にもつながっている。
この問題を防ぐためには、土葬時に遺骨を骨壷から出して埋葬することが必要であるが、これは出来れば行いたくない作業である。また、陶器製もしくはセラミック製の骨壺は廃棄物となるため別途処理が必要であった。
【課題を解決するための手段】
【０００５】
上記の問題点を達成する方法として、まず、第１の考案では、紙製の六角柱状紙容器、その中に挿入する六角柱状の紙製のインローを介して容器本体に結合する紙製の六角柱状の容器蓋の三部材よりなることを特徴とするペット等の小動物の遺骨を収容する遺骨収容用容器を提供するものである。
また、第２の考案では、容器本体の側面は、折り返しによる外側側面板と上部内側側面板および外側側面板と下部内側側面板二層構造であり、容器底は上部内側側面板と下部内側側面板の間の位置にある六角形状の上側底板と５枚の三角形状の下側底板とを合わせた部分的な二層構造であり、インローは容器蓋と勘合する部分は二層構造である一層構造であり、容器蓋の側面は折り返しによる二層構造であり、容器蓋の天井板は一層重構造であるペット等の小動物の遺骨を収容する遺骨収容用容器を提供するものである。
また、第３の考案では、六角柱状紙容器本体、六角柱状の紙製のインロー、紙製の六角柱状の容器蓋は、それぞれ、１枚の紙より採取した１片の紙から成形されているペット等の小動物の遺骨を収容する遺骨収容用容器を提供するものである。
【考案の効果】
【０００６】
上記のように本考案によれば、１．主要部分が２重構造であり、また、隅部も隙間のない構造のため遺骨や遺灰が漏れることがない。２．従来の陶製の骨壺とは異なり、紙製のため、遺骨を出さずにそのまま土に埋めることができ、土壌菌等の土中のバクテリアにより分解させることができる。３．骨壺が分解されると、土に接した遺骨はやがて同様に分解されて土に返り、環境を汚染する物質はまったく残留しない。４．素材がダンボールのため、焼却処分が可能であり、また、リサイクルも可能である。廃棄処分も容易である。５．組立式のため、在庫スペースが少なくてすむ。また、運搬が容易であり、保管、運搬時の破損の危険性も少ない。６．のりつけ部が１ヶ所のみであり、顧客の所に赴き、簡単に組み立てることが可能である。７．容器本体と容器蓋がインローを介して密閉されているが、その状態で容器蓋の下端と容器本体の上端のとの間に５mm程度の隙間を持たせており、意匠性の優れたものとした。そのため、そのまま部屋に置いておいても違和感なく飾っておく事ができる。８．この容器をいれるための袋は市販されている人の骨壺に用いることができる。
等のすぐれた効果を発揮することができる。
【図面の簡単な説明】
【０００７】
【図１】図１は本発明の容器本体の展開図である。
【図２】図２は本発明の容器本体組立後の下方向から見た底面図である。
【図３】図３は本発明の容器蓋の展開図である。
【図４】図４は本発明のインローの展開図である。
【図５】図５は本発明の組み立てた後の図である。
【考案を実施するための形態】
【０００８】
本考案を実施するためには、段ボール紙より、容器本体、容器蓋、インローの3部材を成形させるための用紙を所定の形状に切り出し、折り曲げ加工、のり付けにより成形する。通常は切り出し後の形状で保管しておき、遺骨、遺灰を収容する直前に組み立てることが便利である。のり付け個所は容器本体に1ヶ所あるのみであり、短時間に、また、極めて容易に組み立てることができる。
【実施例】
【０００９】
本考案の実施においては、S、M、Lの3種の大きさを基本とした。表１に組立後の寸法
を示したが、もちろん、この大きさに限定されるものではない。主たる対象は、Sは子犬、および子ネコ用、Mはねこ、および小型の犬、Lは犬用である。おおよその高さは１５０〜２２０mm、6角柱の向かい合う側面間の距離も１５０〜２２０mm程度である。なお、本考案の容器本体の底の位置は容器の最下部ではなく、少し上部（２ｃｍ程度）に位置しているが（上げ底である。）、これは、強度の確保、手にする場合の保持の容易さを確保するために行った工夫である。以下に実施例により本発明を詳細に説明するが、記述の内容はS、M、Lの3種に共通である。
【００１０】
【表１】
0003157623.tif 000003
【００１１】
図１は、容器本体を成形するための切断後用紙１００１の形状(展開図)を示したものである。この図は、表面側（片面を着色する場合の着色する側）から見た場合である。この図はＳを示しているが、Ｍ、およびＬもほぼ相似型である。用紙には、1〜３mm程度の紙（段ボール紙）を用いる。容器本体は1枚の紙から製作する。着色（模様も含む）は、たとえば、ベージュ、藤色、薄いブルー等の落ちついた淡い色調が好ましい。
図中の１〜６は、６角柱の外側になる部分の第１外側側面板１〜第６外側側面板６である。大きさが、Ｌが１２０mm×１８５mm程度、Ｍが１０７mm×１５０mm程度、Ｓが９０mm×１２５mm程度である。
【００１２】
１１〜１６は上側内側になる部分の第１上部内側側面板１１〜第６上部内側側面板１６である。２１〜２６は底を上げるために設けた第１下部内側側面板２１〜第６下部内側側面板２６である。これらは、いずれも長方形であるが、第１上部内側側面板１１〜第６上部内側側面板１６には後述するように、切断線に段差を設けている。
【００１３】
５１は組立後には上側（成形後は内側）底板に成る上側底板５１であり、正六角形である。３１〜３３、３５、３６も底になる部分の第１下側底板３１〜第３下側底板３３、第５下側底板３５、および第６下側底板３６である。これらは正三角形であり、組立後には下側（外側）底板になる。７は6角柱にするためののりしろ片７である。なお、本考案においては、のりしろは容器本体のこの１ヶ所のみである。
【００１４】
４１〜４６は第１上部内側側面板１１〜第６上部内側側面板１６と上側底板５１の境目を、密閉、強度補強を行うための第１下部補強片４１〜第６下部補強片４６である。６１〜６３、６５、６６は、第１外側側面板１〜第３外側側面板３、第５外側側面板５、および第６外側側面板６の下部と、第１下部内側側面板２１〜第３下部内側側面板２３、第５下部内側側面板２５、および第６下部内側側面板２６との１ヶ所との間に入り、密閉、強度補強を行う第１密閉補強片６１〜第３密閉補強片６３、第５密閉補強片６３、および第６密閉補強片６６である。
【００１５】
７１〜７６は、第１外側側面板１〜第６外側側面板６と第１上部内側側面板１１〜第６上部内側側面板１６を折り曲げて内部に空間をもたせて配置（重ねる）するための第１上部折り曲げしろ７１〜第６上部折り曲げしろ７６である。８１〜８６は、第１外側側面板１〜第６外側側面板６と第１下部内側側面板２１〜第１下部内側側面板２６を折り曲げて配置（重ねる）するための第１下部折り曲げしろ８１〜第６第下部折り曲げしろ８６である。第１上部折り曲げしろ７１〜第６上部折り曲げしろ７６、および第１下部折り曲げしろ８１〜第６第下部折り曲げしろ８６は、いずれも台形であり、はば（台形の高さは）第１上部折り曲げしろ７１〜第６上部折り曲げしろ７６は６mm程度、第１下部折り曲げしろ８１〜第６第下部折り曲げしろ８６は４mm程度である。用紙の厚さは１mm程度であり、折り曲げた後の内外の板の間には、２〜４mmの隙間ができる。
【００１６】
９１１、９１２、９４１、９４２、および９６１は、第１紐を通す穴９１１、第２紐を通す穴９１２、第３紐を通す穴９４１、第４紐を通す穴９４２、第５紐を通す穴９６１である。成形時には、第１紐を通す穴９１１と第２紐を通す穴９１２と第５紐を通す穴９６１が重なる。また、第３紐を通す穴９４１と第４紐を通す穴９４２が重なる。第５紐を通す穴９６１は第１紐を通す穴９１１と第２紐を通す穴９１２の間に入る。第１紐を通す穴９１１、第２紐を通す穴９１２、第３紐を通す穴９４１、第４紐を通す穴９４２の穴径は５mm程度である。第５紐を通す穴９６１は穴が重なる（紐が貫通する。）必要があり、直径は１０mm程度である。
【００１７】
図中の折り曲げ線の内、第１上部内側側面板１１〜第６上部内側側面板１６と第１下部補強片４１〜第６下部補強片４６の間の折り曲げ線、第１下部内側側面板２１〜第３下部内側側面板２３、第５下部内側側面板２５、および第６下部内側側面板２６と第１下側底板３１〜第３下側底板３３、第５下側底板３５、および第６下側底板３６との間の折り曲げ線、上側底板５１と第４下部内側側面板２４との間の折り曲げ線、上側底板５１と第１密閉補強片６１〜第３密閉補強片６３の間の折り曲げ線、上側底板５１と第５密閉補強片６５、上側底板５１と第６密閉補強片６６との間の折り曲げ線は谷折り線である。他の折り曲げ線はいずれも山折り線である。なお、第３密閉補強片６３と第３下側底板３３との間の線、第３密閉補強片６３と第３下部内側側面板２３との間の線（図中に●をつけている。）は切断線である。第５密閉補強片６５と第５下側底板３５との間の線、第５密閉補強片６５と第５下部内側側面板２５の間の線（図中に●をつけている。）も切断線である。
【００１８】
第１上部内側側面板１１、第４上部内側側面板１４、および第６上部内側側面板１６と第１下部補強片４１、第４下部補強片４４、および第６下部補強片４６の間の線の中央部の凸形状部は、組立後にインローを固定するために設けた内部切断線であり、他の部分は谷折り線である。第１上部内側側面板１１〜第６上部内側側面板１６において、切断線の第１下部補強片４１〜第６下部補強片４６側における段差は組立時に隣接する面同士のかみ合いを強固にするために設けたものであり、高さは約２mmである。
【００１９】
次に組立方を説明する。以下に述べる方法は、一方法であり、もちろん、これに限定されるものではない。まず、第１外側側面板１とのりしろ片７を接合して、六角柱状とする。のりしろ片７には、予め接着剤を塗布したおき、シールを剥がした後に接着すると能率的である。ついで、第４外側側面板４と第４下部折り曲げしろ８４、および第４下部折り曲げしろ８４と第４下部内側側面板２４の間の線を山折りに、第４下部内側側面板２４と上側底板５１、上側底板５１と第１密閉補強片６１、上側底板５１と第２密閉補強片６２、上側底板５１と第３密閉補強片６３、上側底板５１と第５密閉補強片６５、および上側底板５１と第６密閉補強片６６の間を谷折りにし、六角柱状容器の底を形成させる。なお、これに先立て、第１下部内側側面板２１、第２下部内側側面板２２、第３下部内側側面板２３、第５下部内側側面板２５、第６下部内側側面板２６を予め外側になるように折り曲げておくと、上側底板５１を六角柱の中に挿入しやすい。これらの第１下部内側側面板２１等の外側への折り曲げは、第１外側側面板１と第１下部内側側面板２１との間、または、第１下部内側側面板２１と第１下側底板３１との間、あるいは両方で行う。第２下部内側側面板２２等においても同様に行う。これらの折り曲げ線は本来は山折り線であり、谷折り（軽く）は一時的なものである。
【００２０】
ついで、第１上部内側側面板１１と第１下部補強片４１の間を谷折りに、第１外側側面板１と第１上部折り曲げしろ７１、および、第１上部折り曲げしろ７１と第１上部内側側面板１１の間を山折りにして、第１上部内側側面板１１を六角柱の中に挿入して、第１上部内側側面とする。
【００２１】
以後、順次、第２上部内側側面板１２と第２下部補強片４２の間を谷折りに、第２外側側面板２と第２上部折り曲げしろ７２、および、第２上部折り曲げしろ７２と第２上部内側側面板１２の間を山折りにして、第２上部内側側面板１２を六角柱の中に挿入して、第２上部内側側面とする等の工程を行い、第６上部内側側面までの挿入を完成させる。すべての上部内側側面板が折り曲げられた状態では、第１上部内側側面板１１〜第６上部内側側面板１６において、切断線の第１下部補強片４１〜第６下部補強片４６側における段差は隣接する面同士との間でかみ合い構造を強固にする。
【００２２】
次に、第１外側側面板１と第１下部折り曲げしろ８１、第１下部折り曲げしろ８１と第１下部内側側面板２１の間を山折りし、さらに、第１下部内側側面板２１と第１下側底板３１の間を谷折りして、第１下側底板３１を上側底板５１に重ねる。
【００２３】
次いで、第２外側側面板２と第２下部折り曲げしろ８２、第２下部折り曲げしろ８２と第１下部内側側面板２２の間を山折りし、さらに、第２下部内側側面板２２と第１下側底板３２の間を谷折りして、第２下側底板３２を上側底板５１に重ねる。その後、同様にして順次、第３下側底板３３、第５下側底板３５、第６下側底板３６を上側底板５１に重ねて、２重底板を完成させる。なお、第１下側底板３１の切断線は、第２下側底板３２、及び第６下側底板３６の切断線と隙間なく、また重なることなく、相対することになる。
第３下側底板３３の第２下側底板３２側の切断線は、第２下側底板３２の第３下側底板３３側は切断線と隙間なく、また重なることなく相対することになるが、切断線の長さが異なるため、第２下側底板３２の第３下側底板３３側の切断線は一部が自由状態になる。このことは、第５下側底板３５の第６下側底板３６側の切断線と、第６下側底板３６の第５下側底板３５側の切断線との間においても同様である。
【００２４】
この結果として、組立後の下側底面は、図２に示すような形状になる。図中で、第１下側底板３１、第２下側底板３２、第３下側底板３３、第５下側底板３５、第６下側底板３６の部分は、上側底板５１と二重になっている。これらの下側底板が互いに密着して相対しているため、剛性の大きい容器になっている。
上側底板５１のみの部分は、第１下側底板３１（第２下側底板３２、および第６下側底板３６も同じ）の面積と、第３密閉補強片６３、および第５密閉補強片６５を合わせた面積のほぼ等しい。この部分は第４下部内側側面板２４とつながっており、上側底板５１のみで十分な強度を持っている。
【００２５】
なお、第２下部補強片４２と第２上部内側側面板１２、第４下部補強片４４と第４上部内側側面板１４、第６下部補強片４６と第２上部内側側面板１６との間の谷折り線中央部の凸部は切断線であり、谷折り後はそれぞれ、第２下部補強片４２、第４下部補強片４４、第６下部補強片４６と同一平面になる。すなわち、上側底板５１の上に一部重なった状態になる。
【００２６】
図３は、容器蓋を成形するための切断後の用紙１００２の形状(展開図)を示したものである。この図は、表面側から見た場合であり、片面を着色する場合における着色する側である。この図においてはＳを示しているが、Ｍ、Ｌもほぼ相似型である。用紙は容器本体と同一のものを用いる。
【００２７】
図において１８１は容器蓋上板、１０１〜１０６は容器蓋の第１外側側面板１０１〜第６外側側面板１０６を、１１１〜１１６は容器蓋の第１内側側面板１１１〜第６内側側面板１１６を、１２１〜１２６は密閉、強度補強用の第１内側補強片１２１〜第６内側補強片１２６である。
【００２８】
１３１〜１３６は、第１外側側面板1０１〜第６外側側面板１０６と第１内側側面板１１１〜第６内側側面板１１６を折り曲げて重ねるための第１折り曲げしろ１３１〜第６折り曲げしろ１３６である。第１内側側面板舌片甲１４１、第３内側側面板舌片甲１４３、第５内側側面板舌片甲１４５、第１内側側面板舌片乙１５１、第３内側側面板舌片乙１５３，第５内側側面板舌片乙１５５は６角柱に組み立てるための内側側面板舌片であり、隣り合う内側側面板舌片同士を連結するための切り込みを有している。第１内側側面板差し込み片甲１６１、第３内側側面板差し込み片甲１６３、第５内側側面板差し込み片甲１６５、第１内側側面板差し込み片乙１７１、第３内側側面板差し込み片乙１７３、第５内側側面板差し込み片乙１７５は、密閉、強度補強用部材である。
なお、第１内側側面板差し込み片甲１６１と第２外側側面板1０２との間の線、第３内側側面板差し込み片甲１６３と第４外側側面板1０４との間の線、第５内側側面板差し込み片甲１６５と第６外側側面板1０６との間の線、第１内側側面板差し込み片乙１７１と第６外側側面板1０６との間の線、第３内側側面板差し込み片乙１７３と第２外側側面板1０２との間の線、第５内側側面板差し込み片乙１７５と第４外側側面板1０４との間の線は切断線である。（図中に●をつけている。）
【００２９】
容器蓋上板１８１は正六角形、第１外側側面板1０１〜第１外側側面板１０６、および第１内側側面板１１１〜第６内側側面板１１６は長方形、第１内側補強片１２１〜第６内側補強片１２６、および第１折り曲げしろ１３１〜第６折り曲げしろ１３６は台形である。第１折り曲げしろ１３１〜第６折り曲げしろ１３６の幅（台形の高さにあたる部分）は、容器本体の第１上部折り曲げしろ７１〜第６上部折り曲げしろ７６と同じで６mm程度である。第１内側側面板舌片甲１４１、第３内側側面板舌片甲１４３、第５内側側面板舌片甲１４５、第１内側側面板舌片乙１５１、第３内側側面板舌片乙１５３，第５内側側面板舌片乙１５５は図示したように、おのおの甲は容器蓋上板１８１側に、乙は逆側に切り込みのある一部が除かれた長方形である。第１内側側面板差し込み片甲１６１、第３内側側面板差し込み片甲１６３、第５内側側面板差し込み片甲１６５、第１内側側面板差し込み片乙１７１、第３内側側面板差し込み片乙１７３、第５内側側面板差し込み片乙１７５は図示したように台形である。
【００３０】
折り曲げ線は第１内側側面板１１１と第１内側補強片１２１、第２内側側面板１１２と第２内側補強片１２２、第３内側側面板１１３と第３内側補強片と１２３、第４内側側面板１１４と第４内側補強片と１２４、第５内側側面板１１５と第５内側補強片と１２５、および第６内側側面板１１６と第６内側補強片との間の線は谷折り線、他はいずれも山折り線である。
【００３１】
次に組立方を説明する。以下に述べる方法は一方法であり、もちろん、これに限定されるものではない。まず、切断採取後の紙の容器蓋上板１８１と第１外側側面板１０１の間を山折りし、さらに、第１外側側面板１０１と第１折り曲げしろ１３１の間、および第１折り曲げしろ１３１と第１内側側面板１１１の間を山折りする。つづいて、第１内側側面板１１１と第１内側補強片１２１の間を谷折りする。さらに、第１内側側面板１１１と第１内側側面板舌片甲１４１、第１内側側面板１１１と第１内側側面板舌片乙１５１の間を山折りする。つづいて、第１外側側面板１０１と第１内側側面板差し込み片甲１６１、および第１外側側面板１０１と第１内側側面板差し込み片乙１７１の間を山折りする。
同様に、第３外側側面板１０３、第５外側側面板１０５等についても山折り、または、谷折りをする。たとえば、第３内側側面板１１３と第３内側補強片１２３の間を谷折りに、第３内側側面板差し込み片甲１６３と第３外側側面板１０３の間の線、第３外側側面板１０３と第３内側側面板差し込み片乙１７３の間の線、第５外側側面板１０５と第５内側側面板差し込み片甲１６５の間の線、および第５外側側面板１０５と第５内側側面板差し込み片乙１７５の間の線を山折りにする。
【００３２】
その後、第１内側側面板舌片甲１４１と第３内側側面板舌片乙１５３、第３内側側面板舌片甲１４３と第５内側側面板舌片乙１５５、第５内側側面板舌片甲１４５と第１内側側面板舌片乙１５1を、それぞれの切れ目の部分で差し込み連結する。この状態で容器蓋上板１８１と第１外側側面板１０１、第１内側側面板１１１、第１内側側面板舌片甲１４１、および第１内側側面板舌片乙１５１、第１内側側面板差し込み片甲１６１、および第１内側側面板差し込み片乙１７１は、ほぼ直交する状態にあり、容器蓋上板１８１と第１折り曲げしろ１３１は平行に、容器蓋上板１８１と第１内側補強片１２１は重なった状態になっている。この位置関係は、第３外側側面板１０３、および第５外側側面板１０５等と容器蓋上板１８１の間においても同様である。
【００３３】
次に、容器蓋上板１８１と第２外側側面板１０２の間を山折りし、さらに、第２外側側面板１０２と第２折り曲げしろ１３２の間、および第２折り曲げしろ１３２と第２内側側面板１１２の間を山折りする。つづいて、第２内側側面板１１２と第２内側補強片１２２の間を谷折し、内側補強片１２２を上板１８１と重ねる。この場合において、第１内側側面板差し込み片甲１６１、第３内側側面板差し込み片乙１７３、第１内側側面板舌片甲１４１、および第２内側側面板舌片乙１５３は、いずれも、第２外側側面板１０２と第２内側側面板１１２の間に入り見えないようにする。同様に、第４外側側面板１０４、第６外側側面板１０６等も折り曲げていき容器蓋を完成させる。
なお、完成後に表面に現れている面は、容器蓋上板１８１、第１外側側面板１０１〜第６外側側面板１０６、第１内側側面板１１１〜第６内側側面板１１６、第１内側補強片１２１〜第６内側補強片１２６、第１折り曲げしろ１３１〜第６折り曲げしろ１３６である。
【００３４】
図４は、容器本体の内部に挿入し、容器蓋を勘合させるためのインローを成形するための切断後の用紙１００３の形状(展開図)を示したものである。この図は、表面側から見た場合である。着色は通常は行わない。この図においてはＳを示しているが、Ｍ、Ｌもほぼ相似型である。用紙は1〜３mmの段ボールを用いる。
２０１〜２０６は第１外面側測板２０１〜第６外面側測板２０６であり、容器本体の第１内面側側面板１１〜第６内面側側面板１６に相対するように挿入する。もちろん、第１外面側測板２０１と第１内面側側面板１１が１対１に相対するものではない。２１１〜２１６は第１内面側測面板２１１〜第６内面側測面板２１６であり、この部分は容器蓋に勘合する部分である。２０７は密閉、強度補強用部材の補強片２０７であり、のりしろ片ではない。
【００３５】
第１折り曲げしろ２２１〜第６折り曲げしろ２２６は、第１外側側面板２０１〜第６外側側面板２０６と第１内側側面板２１１〜第６内側側面板２１６を折り曲げて重ねるための折り曲げしろである。第１外側側面板２０１〜第６外側側面板２０６、第１内側側面板２１１〜第６内側側面板２１６、第１折り曲げしろ２２１〜第６折り曲げしろ２２６はいずれも長方形である。これらの折り曲げ線はいずれも山折り線である。
【００３６】
第２強度補片２３２と第２外側側面板２０２、第４強度補片２３４と第４外側側面板２０４、第６強度補片２３６と第６外側側面板２０６との間は谷折りであるが、折り曲げ線の中央部に凸部状の内部切断線を有している。この部分に容器本体の第２上部内側側面板１２と第２下部補強片４２、第４上部内側側面板１４と第４下部補強片４４、および第６上部内側側面板１６と第６下部補強片４６の間の凸部がかみ合う構造となっている。なお、第１内側側面板２１１〜第６内側側面板２１６の切断線の内、それぞれ、第１折り曲げしろ２２１〜第１折り曲げしろ２２６との境界線と直交する切断線に設けた段差は、組立時に隣接する面同士のかみ合いを強固にするために設けたものであり高さは約２mmである。折り曲げ線はいずれも山折りである。
【００３７】
次にインローの組立方法について説明する。第１外側側面板２０１と第２外側側面板２０２、第２外側側面板２０２と第３外側側面板２０３、第３外側側面板２０３と第４外側側面板２０４、第４外側側面板２０４と第５外側側面板２０５、第５外側側面板２０５と第６外側側面板２０６、第６外側側面板２０６と補強板２０７の間を、表面（組み立てた後に6角柱の外面になる面）が凸になるように山折りする。ついで、第２外側側面板２０２と第２補強片２３２、第４外側側面板２０４と第４補強片２３４、第６外側側面板２０６と第６補強片２３６とを山折りする。この時、第２外側側面板２０２と第２補強片２３２、第４外側側面板２０４と第４補強片２３４、第６外側側面板２０６と第６補強片２３６の間の線の凸部は、切断線のため6角柱の外に飛び出すことになる。
【００３８】
ついで、第１外側側面板２０１と第１折り曲げしろ２２１の間の線、および第１折り曲げしろ２２１と第１内側側面板２１１の間の線、ついで、第３外側側面板２０３と第３折り曲げしろ２２３の間の線、および第３折り曲げしろ２２３と第３内側側面板２１３の間の線、さらに、第５外側側面板２０５と第５折り曲げしろ２２５の間の線、および第５折り曲げしろ２２５と第５内側側面板２１５の間の線を山折りして織り込む。この状態で容器本体に時に挿入するが、その時に、補強板２０７は第１外側側面板２０１の内側に、第１外側側面板２０１と第１内側側面板２１１の間に位置するようにする。
【００３９】
ついで、第２外側側面板２０２と第２折り曲げしろ２２２の間の線、および第２折り曲げしろ２２２と第２内側側面板２１２の間の線、ついで、第４外側側面板２０４と第４折り曲げしろ２２４の間の線、および第４折り曲げしろ２２４と第４内側側面板２１４の間の線、さらに、第６外側側面板２０６と第６折り曲げしろ２２６の間の線、および第６折り曲げしろ２２６と第６内側側面板２１６の間の線を山折りして織り込む。これで、容器とインローが一体化する。なお、第２外側側面板２０２と第２補強片２３２の間の凸部はインローの外側に張り出し、容器本体のたとえば、第２下部補強片４２と第２上部内側側面板１２の間の凸部に差し込まれる形になり、強固に固定される。他の凸部においても同様である。
【００４０】
図５は、完成後の外観を示したものである。図示したように紐をかけて完成する。紐は容器本体下部の第１紐を通す穴９１１と第２紐を通す穴９１２、および第５紐を通す穴９６１、第３紐を通す穴９４１と第４紐を通す穴９４２を通して容器蓋を固定するようにかける。
なお、組立完成後、容器本体の第１上部折り曲げしろ７１〜第６上部折り曲げしろ７６と、容器蓋の第１折り曲げしろ１３１〜第６折り曲げしろ１３６の間には、５mm程度の間隔をあけてインローが外から見える状態にしている。これは、意匠性を持たせるためである。
【産業上の利用可能性】
【００４１】
本考案は、ペット等の小動物の葬祭業、および紙製容器製造業に利用可能である。
【符号の説明】
【００４２】
１００１・・・容器本体展開図第１外側側面板
１・・・・・・第１外側側面板
２・・・・・・第２外側側面板
３・・・・・・第３外側側面板
４・・・・・・第４外側側面板
５・・・・・・第５外側側面板
６・・・・・・第６外側側面板
７・・・・・・のりしろ片
１１・・・・・第１上部内側側面板
１２・・・・・第２上部内側側面板
１３・・・・・第３上部内側側面板
１４・・・・・第４上部内側側面板
１５・・・・・第５上部内側側面板
１６・・・・・第６上部内側側面板
２１・・・・・第１下部内側側面板
２２・・・・・第２下部内側側面板
２３・・・・・第３下部内側側面板
２４・・・・・第４下部内側側面板
２５・・・・・第５下部内側側面板
２６・・・・・第６下部内側側面板
３１・・・・・第１下側底板
３２・・・・・第２下側底板
３３・・・・・第３下側底板
３５・・・・・第５下側底板
３６・・・・・第６下側底板
４１・・・・・第１下部補強片
４２・・・・・第２下部補強片
４３・・・・・第３下部補強片
４４・・・・・第４下部補強片
４５・・・・・第５下部補強片
４６・・・・・第６下部補強片
５１・・・・・上側底板
６１・・・・・第１密閉補強片
６２・・・・・第２密閉補強片
６３・・・・・第３密閉補強片
６５・・・・・第５密閉補強片
６６・・・・・第６密閉補強片
７１・・・・・第１上部折り曲げしろ
７２・・・・・第２上部折り曲げしろ
７３・・・・・第３上部折り曲げしろ
７４・・・・・第４上部折り曲げしろ
７５・・・・・第５上部折り曲げしろ
７６・・・・・第６上部折り曲げしろ
８１・・・・・第１下部折り曲げしろ
８２・・・・・第２下部折り曲げしろ
８３・・・・・第３下部折り曲げしろ
８４・・・・・第４下部折り曲げしろ
８５・・・・・第５下部折り曲げしろ
８６・・・・・第６下部折り曲げしろ
９１１・・・・第１紐を通す穴
９１２・・・・第２紐を通す穴
９４１・・・・第３紐を通す穴
９４２・・・・第４紐を通す穴
９６１・・・・第５紐を通す穴
１００２・・・容器蓋展開図
１０１・・・・第１外側側面板
１０２・・・・第２外側側面板
１０３・・・・第３外側側面板
１０４・・・・第４外側側面板
１０５・・・・第５外側側面板
１０６・・・・第６外側側面板
１１１・・・・第１内側側面板
１１２・・・・第２内側側面板
１１３・・・・第３内側側面板
１１４・・・・第４内側側面板
１１５・・・・第５内側側面板
１１６・・・・第６内側側面板
１２１・・・・第１内側補強片
１２２・・・・第２内側補強片
１２３・・・・第３内側補強片
１２４・・・・第４内側補強片
１２５・・・・第５内側補強片
１２６・・・・第６内側補強片
１３１・・・・第１折り曲げしろ
１３２・・・・第２折り曲げしろ
１３３・・・・第３折り曲げしろ
１３４・・・・第４折り曲げしろ
１３５・・・・第５折り曲げしろ
１３６・・・・第６折り曲げしろ
１４１・・・・第１内側側面板舌片甲
１４３・・・・第３内側側面板舌片甲
１４５・・・・第５内側側面板舌片甲
１５１・・・・第１内側側面板舌片乙
１５３・・・・第３内側側面板舌片乙
１５５・・・・第５内側側面板舌片乙
１６１・・・・第１内側側面板差し込み片甲
１６３・・・・第３内側側面板差し込み片甲
１６５・・・・第５内側側面板差し込み片甲
１７１・・・・第１内側側面板差し込み片乙
１７３・・・・第３内側側面板差し込み片乙
１７５・・・・第５内側側面板差し込み片乙
１８１・・・・容器蓋上板
１００３・・・インロー展開図
２０１・・・・第１外側側面板
２０２・・・・第２外側側面板
２０３・・・・第３外側側面板
２０４・・・・第４外側側面板
２０５・・・・第５外側側面板
２０６・・・・第６外側側面板
２０７・・・・補強板
２１１・・・・第１内側側面板
２１２・・・・第２内側側面板
２１３・・・・第３内側側面板
２１４・・・・第４内側側面板
２１５・・・・第５内側側面板
２１６・・・・第６内側側面板
２２１・・・・第１折り曲げしろ
２２２・・・・第２折り曲げしろ
２２３・・・・第３折り曲げしろ
２２４・・・・第４折り曲げしろ
２２５・・・・第５折り曲げしろ
２２６・・・・第６折り曲げしろ
２３２・・・・第２強度補片
２３４・・・・第４強度補片
２３６・・・・第６強度補片
【図１】
0003157623.tif 000004
【図２】
0003157623.tif 000005
【図３】
0003157623.tif 000006
【図４】
0003157623.tif 000007
【図５】
0003157623.tif 000008